(57)【要約】【課題】再生中断前に再生していた内容を思い出し、この内容を十分に理解した上で、再生を再開することが可能な再生装置を提供する。【解決手段】光ディスク１７を識別するディスクＩＤを認識するディスクＩＤ認識部１６と、認識されたディスクＩＤを記憶するワークメモリ１９と、光ディスク１７の再生を中断するときに、再生中断位置を特定する中断位置情報を上記ディスクＩＤに対応づけて上記ワークメモリ１９に記憶するシステム制御部１１と、再生を再開するときに、中断位置情報に基づいて、上記再生中断位置よりも前の位置を再生開始位置とし、再生開始を行うシステム制御部１１とを備えている。【選択図】  図１
2004355681.tif 000002
【特許請求の範囲】
【請求項１】
情報記録媒体を識別する識別情報を認識する認識手段と、
認識された識別情報を記憶する記憶手段と、
上記情報記録媒体の再生を中断するときに、該情報記録媒体上の再生中断位置を特定する中断位置情報を上記識別情報に対応づけて上記記憶手段に記憶する再生中断制御手段と、
上記情報記録媒体の再生を再開するときに、中断位置情報に基づいて、上記再生中断位置よりも前の位置を再生開始位置とし、再生開始を行う再生開始位置制御手段とを備えることを特徴とする再生装置。
【請求項２】
上記情報記録媒体には動画像が記録されており、
上記再生開始位置制御手段は、上記再生中断位置において再生を一時中断して静止画像を表示した後、上記再生中断位置から再生開始を行うことを特徴とする請求項１に記載の再生装置。
【請求項３】
上記静止画像の表示状態の経過時間を計時すると共に計時時間の設定が行える計時手段を更に備え、設定された計時時間経過後に、上記再生開始を行うか、又は上記静止画像の表示状態において再生命令を受領すると上記再生開始を行うことを特徴とする請求項２に記載の再生装置。
【請求項４】
上記記憶手段に記憶された上記識別情報及び上記中断位置情報をそれぞれ表示する表示手段と、
上記再生開始位置を設定するための入力手段とを更に備え、
上記再生開始位置制御手段は、入力手段を介して設定された上記再生開始位置から再生開始を行うことを特徴とする請求項１〜３のいずれか１項に記載の再生装置。
【請求項５】
情報記録媒体の再生を中断するときに、該情報記録媒体上の再生中断位置を特定する中断位置情報を上記情報記録媒体を識別する識別情報に対応づけて記憶し、
上記情報記録媒体の再生を再開するときに、該情報記録媒体の識別情報を認識し、上記の中断位置情報に基づいて、上記再生中断位置よりも前の位置を再生開始位置として再生開始を行う再生方法。
【請求項６】
表示された、記憶済の上記識別情報及び上記中断位置情報を参照して上記再生開始位置を設定し、このように設定された上記再生開始位置から再生開始が行われることを特徴とする請求項５に記載の再生方法。
【請求項７】
請求項５または６における再生方法を実行するための再生プログラムであって、コンピュータに上記各ステップを実行させるための再生プログラム。
【請求項８】
請求項７の再生プログラムを記録したコンピュータ読み取り可能な記録媒体。
【発明の詳細な説明】
【０００１】
【発明の属する技術分野】
本発明は、交換可能な情報記録媒体の情報を再生する再生装置に関し、特に、情報記録媒体の再生を中断した場合でも、その再生中断位置からの再生を可能とし、更に再生開始位置を、再生中断位置を基準として指定可能なように構成した再生装置、該再生装置の制御方法、再生プログラム、および該再生プログラムを記録した記録媒体に関するものである。
【０００２】
【従来の技術】
従来より、テレビ映像等のビデオ情報を記録する情報記録媒体として、ビデオテープ等の磁気テープを用いた記録・再生装置が広く普及している。
【０００３】
また、最近では、ビデオテープ等の磁気テープに代わって、より質の高い記録・再生を行うことができ、大容量の記録が可能なディスク媒体、例えば、ＤＶＤ−ＲＡＭ（Ｄｉｇｉｔａｌ  Ｖｅｒｓａｔｉｌｅ  Ｄｉｓｃ  Ｒａｎｄｏｍ  Ａｃｃｅｓｓ  Ｍｅｍｏｒｙ）、ＤＶＤ−ＲＷ（ＤＶＤ  Ｍｉｎｕｓ  Ｒｅｗｒｉｔａｂｌｅ）、ＤＶＤ＋ＲＷ（ＤＶＤ  Ｐｌｕｓ  Ｒｅｗｒｉｔａｂｌｅ）等を用いた記録・再生装置が出現している。
【０００４】
これらのディスク媒体は、磁気テープと異なり、ランダムアクセス性があるため、ビデオ情報等を連続的に記録したとしても、再生装置で再生する際に任意の位置を任意の順番で再生することが可能となる。
【０００５】
磁気テープの再生装置の場合は、磁気テープのイジェクト（排出）が行われたとき、再生を中断した位置がそのまま保持されるので、再生装置に磁気テープを再度装着（ローディング）したとき、再生中断位置から再生を開始することが可能である。
【０００６】
しかしながら、ディスク媒体の場合、そのランダムアクセス性が災いして、前回再生を中断した位置から、再生を再開することが困難であるという問題がある。このような問題を解決するために、再生を中断した場合に、同じ位置から再生を再開できるようにするリジューム（レジューム）機能についての技術が開示されている（例えば、特許文献１、２参照）。
【０００７】
【特許文献１】
特開平８−１２４３５９号広報（公開日平成８年５月１７日）
【０００８】
【特許文献２】
特開２００２−１４０８５８号広報（公開日平成１４年５月１７日）
【０００９】
【発明が解決しようとする課題】
上記特許文献１または２に開示されている従来技術は、次のような問題点を有している。すなわち、上記従来技術では、光ディスクにおいて前回再生時の再生中断位置から再生することが可能なように構成されている。
【００１０】
しかしながら、特に音声を伴う動画の場合、前回の再生中断位置から再生すると、ユーザ（視聴者）が内容を把握するための十分な時間がない場合がある。このような場合、ユーザは、再生が始まってから、一時的に停止させたり、巻き戻しさせたり等の処理を行う必要があった。このような煩雑な処理は、中断、再生、及び再生再開するディスク媒体の数が多いほど必要性が高くなる。
【００１１】
本発明は上記のような問題点に鑑みなされたものであり、その目的は、再生中断前に再生していた内容を確認し、この内容を十分に理解した上で、再生を再開することが可能な再生装置、再生方法および再生プログラム、および再生プログラムを記録した記録媒体を提供することにある。
【００１２】
【課題を解決するための手段】
本発明の再生装置は、上記の課題を解決するために、情報記録媒体を識別する識別情報を認識する認識手段と、認識された識別情報を記憶する記憶手段と、上記情報記録媒体の再生を中断するときに、該情報記録媒体上の再生中断位置を特定する中断位置情報を上記識別情報に対応づけて上記記憶手段に記憶する再生中断制御手段と、上記情報記録媒体の再生を再開するときに、中断位置情報に基づいて、上記再生中断位置よりも前の位置を再生開始位置とし、再生開始を行う再生開始位置制御手段とを備えている。
【００１３】
上記の発明によれば、ローディングされた情報記録媒体の固有情報を認識手段によって取得し、情報記録媒体が認識（識別）・特定される。認識手段によって認識された識別情報は記憶手段に記憶される。
【００１４】
上記情報記録媒体の再生を中断するときに、再生中断制御手段によって、再生を中断した当該情報記録媒体上の位置を特定する中断位置情報が上記識別情報に対応づけられて記憶手段に記憶される。その後、再生動作が中断される。
【００１５】
例えば、動画コンテンツの再生中断後、上記情報記録媒体の再生を再開するときに、再生開始位置制御手段によって、上記の中断位置情報に基づいて、上記再生中断位置よりも前の位置を再生開始位置とされた後、再生の開始が行われる。
【００１６】
なお、再生中断位置よりも前の位置とは、再生中断までに再生済の位置（時間軸において再生中断位置よりも時間的に前の位置）、又は再生中断までに再生済の位置であって再生中断位置から物理的に一定距離だけ離れた位置を意味する。
【００１７】
これにより、ある情報記録媒体を再生装置から取り出すことなく再生を再開する場合に限らず、第１の情報記録媒体を再生装置から取り出し、第２の情報記録媒体を再生することなく、再び第１の情報記録媒体を再生装置に挿入して再開する場合や、第１の情報記録媒体を再生装置から一旦取り出した後、第２の情報記録媒体をローディングし、或いはローディングして再生した後、第２の情報記録媒体を再生装置から取り出し、それから、上記第１の情報記録媒体を再度ローディングして再生するような場合でも、第１の情報記録媒体に係る中断位置情報に基づいて、再生中断位置よりも前の位置から再生の開始が行われる。
【００１８】
したがって、ユーザは、再生中断前に再生していた内容を思い出し、該内容を十分に理解した上で、再生中断以降の再生を再開することが可能となる。また、上記の発明によれば、再生中の情報記録媒体と、再生中断位置とが対応づけられているので、複数の情報記録媒体に対して、それぞれの再生中断位置に係る中断位置情報を記憶手段に格納できる。したがって、様々な再生中断状態にある複数の情報記録媒体に対しても、各内容を思い出しながら、再生を再開させることが可能となり、従来のように、一旦停止、及び巻き戻し等の煩雑な操作が不要となる。
【００１９】
上記再生装置において、上記情報記録媒体には動画像が記録されており、上記再生開始位置制御手段は、上記再生中断位置において再生を一時中断して静止画像を表示した後、上記再生中断位置から再生再開を行うことが好ましい。
【００２０】
この場合、既に視聴した位置から前回の再生中断位置まで再生されるので、再生コンテンツの内容をユーザが理解することが一層容易になる。また、前回の再生中断位置で一旦静止画像表示となるので、再生中断位置の認識を確実に行え、ユーザは非常に効果的に内容理解が行える。
【００２１】
上記再生装置において、上記静止画像の表示状態の経過時間を計時すると共に計時時間の設定が行える計時手段を更に備え、設定された計時時間経過後に、上記再生開始を行うか、又は上記静止画像の表示状態において再生命令を受領すると上記再生開始を行うことが好ましい。
【００２２】
計時手段を備えた構成の場合、予め計時時間を設定しておくことによって、該計時時間の計時後に自動的に再生開始処理が行われるので、ユーザの操作を確実に減少させることが可能となる。一方、再生命令を受領後に再生開始を行う場合、ユーザのペースで随時再生開始が行える。
【００２３】
上記再生装置は、上記記憶手段に記憶された上記識別情報及び上記中断位置情報をそれぞれ表示する表示手段と、上記再生開始位置を設定するための入力手段とを更に備え、上記再生開始位置制御手段は、入力手段を介して設定された上記再生開始位置から再生開始を行うことが好ましい。
【００２４】
この場合、再生開始したときの識別情報及び中断位置情報が情報記録媒体ごとに表示手段によって表示される。表示手段によって表示された上記情報を確認の上、入力手段を介して再生開始位置を設定することが可能となる。
【００２５】
たとえば、動画コンテンツの場合、内容に応じて適当な位置を再生開始位置として設定することが可能となる。また、ＣＤ等の音楽コンテンツの場合、曲の開始位置または終了位置から再生開始を行うことが可能となる。更に、再生開始位置を再生中断位置に設定することも可能である。このように、ユーザにとって快適な再生環境を実現することが可能となる。
【００２６】
本発明の再生方法は、上記の課題を解決するために、情報記録媒体の再生を中断するときに、該情報記録媒体上の再生中断位置を特定する中断位置情報を上記情報記録媒体を識別する識別情報に対応づけて記憶し、上記情報記録媒体の再生を再開するときに、該情報記録媒体の識別情報を認識し、上記の中断位置情報に基づいて、上記再生中断位置よりも前の位置を再生開始位置として再生開始を行う。
【００２７】
上記の再生方法によれば、情報記録媒体の再生を中断するときに、該情報記録媒体上の再生中断位置を特定する中断位置情報が上記情報記録媒体を識別する識別情報に対応づけて記憶される。その後、再生動作が中断される。
【００２８】
再生中断後、上記情報記録媒体の再生を再開するときに、該情報記録媒体の識別情報が認識され、上記の中断位置情報に基づいて、上記再生中断位置よりも前の位置を再生開始位置として再生開始が行われる。
【００２９】
これにより、ある情報記録媒体を再生装置から取り出すことなく再生を再開する場合に限らず、第１の情報記録媒体を再生装置から一旦取り出した後、第２の情報記録媒体をローディングし、或いはローディングして再生し、更にその後、上記第１の情報記録媒体を再度ローディングして再生する場合でも、第１の情報記録媒体に係る中断位置情報に基づいて、再生中断位置よりも前の位置から再生の開始が行われる。
【００３０】
したがって、再生中断前に再生していた内容を思い出し、該内容を十分に理解した上で、再生中断以降の再生を再開することが可能となる。
【００３１】
また、上記の発明によれば、再生中の情報記録媒体と、再生中断位置とが対応づけられるので、複数の情報記録媒体に対して、それぞれの再生中断位置に係る中断位置情報を記憶手段に格納できる。
【００３２】
したがって、様々な再生中断状態にある複数の情報記録媒体に対しても、内容を思い出しながら、再生を再開させることが可能となり、従来のように、一旦停止及び巻き戻し等の煩雑な操作が不要となる。
【００３３】
上記再生方法において、表示された、記憶済の上記識別情報及び上記中断位置情報を参照して上記再生開始位置を設定し、このように設定された上記再生開始位置から再生開始が行われることが好ましい。
【００３４】
この場合、再生開始したときの識別情報及び中断位置情報が情報記録媒体ごとに表示手段によって表示される。表示手段によって表示された上記情報を確認の上、入力手段を介して再生開始位置を設定することが可能となる。
【００３５】
たとえば、動画コンテンツの場合、内容に応じて適当な位置を再生開始位置として設定することが可能となる。また、ＣＤ等の音楽コンテンツの場合、曲の開始位置または終了位置から再生開始を行うことが可能となる。更に、再生開始位置を再生中断位置に設定することも可能である。このように、ユーザにとって快適な再生環境を実現することが可能となる。
【００３６】
再生プログラムを介して上記記載の再生方法の各ステップをコンピュータに実行させてもよい。このような再生プログラムは、コンピュータ読み取り可能な記録媒体に記録されていることが好ましい。
【００３７】
これにより、上記再生プログラムを再生装置に備えられた任意のコンピュータによって読み取り可能な記録媒体に記録させておくことができ、上記再生プログラムの保存・流通を容易に行うことができる。そして、この記録媒体を再生装置に備えられたコンピュータに読み取らせることにより、そのコンピュータを上記再生中断制御手段、上記再生開始位置制御手段として機能させることができる。また、そのコンピュータに上記再生方法における各工程の処理を実行させることができる。
【００３８】
【発明の実施の形態】
本発明の一実施の形態について以下で詳細に説明する。
【００３９】
図１は、本発明に係る再生装置の機能を備えた記録再生装置の構成例を示している。図１において、本記録再生装置は、主として、システム制御部１１、情報入力部１２、情報出力部１３、ユーザ操作部１４、ディスク記録・再生部１５、ディスクＩＤ認識部１６、再生開始位置演算部１８、ワークメモリ１９、バッファメモリ２０、及び表示部２１を有する。
【００４０】
なお、ここでは、本発明の再生装置の一形態として、記録機能をも有する記録・再生装置について説明するが、本発明の再生装置には必ずしも記録機能が必要となるわけではない。また、情報記録媒体として書き込み可能な光ディスクを用いるものとするが、必ずしも書き込み可能である必要はない。
【００４１】
ディスク記録・再生部１５は、システム制御部１１を介して、情報入力部１２から入力された映像情報や音声情報等のコンテンツデータを、光ディスク１７に対して記録可能な形式に変換し、光ディスク１７へ記録することができる。
【００４２】
また、ディスク記録・再生部１５は、再生手段としての機能も有している。すなわち、光ディスク１７に記録されているコンテンツデータを取り出し、それを情報出力部１３で再生できる形式に変換してからシステム制御部１１へ出力することができるように構成されている。
【００４３】
さらに、ディスク記録・再生部１５は、システム制御部１１からの指示によって、レーザパワーの調整、ディスクチルトの調整、収差補正等の光学ヘッドの各種調整を行って記録・再生可能な状態とした上で、光ディスク１７からのＴＯＣ（Ｔａｂｌｅ  Ｏｆ  Ｃｏｎｔｅｎｔｓ）情報を読み出し、それに応じた各種パラメータのセットを行う、といった初期処理を行うことができる。そして、初期処理が完了した場合に、システム制御部１１に対して初期処理の完了を通知することができるように構成されている。
【００４４】
光ディスク１７は、映像情報及び音声情報等のコンテンツデータや、これら情報、データの管理情報であるＴＯＣ情報等を格納するものである。また、光ディスク１７には、個々を識別するための識別情報であるＩＤ（ディスクＩＤ、識別コード）を付加されたものが存在する。
【００４５】
ここで、上記光ディスク１７には、ＤＶＤなどの光ディスク以外に、光磁気ディスクも含まれる。また、光ディスク１７の代わりに磁気ディスクなどを用いてもよい。本記録再生装置は、特に、コンテンツデータを再生するために初期処理が必要な記録媒体に関して好適なものである。また、上記光ディスク１７に記録されているデータの種別として、上記コンテンツデータは例示であり、これに限定されるものではない。
【００４６】
ディスクＩＤ認識部１６は、上記ディスクＩＤを持つ光ディスク１７が本記録・再生装置に挿入（ローディング）された場合に、このディスクＩＤを読み取って認識する認識手段である。ここでは、ディスクＩＤを記録したバーコードを印字した紙ラベル（識別シール）が、光ディスク１７自体又はこれを収納したカートリッジに貼付されており、この識別シールから光ディスク１７のディスクＩＤを取得するように、ディスクＩＤ認識部１６が構成されているものとする。
【００４７】
すなわち、ユーザが、上記識別シールを光ディスク１７又はカートリッジの所定の場所に貼り付けることによって、光ディスク１７のディスクＩＤを本記録再生装置（ディスクＩＤ認識部１６）に認識させるようになっている。このディスクＩＤを認識した場合、ディスクＩＤ認識部１６は、その情報をシステム制御部１１へ送信する。
【００４８】
なお、ディスクＩＤ認識部１６におけるディスクＩＤの認識方法は、上記例に限定されるものではない。例えば、光ディスク１７自体またはそのカートリッジに非接触にアクセスできるＩＣチップを取り付けておき、そのＩＣチップに記録しておいたディスクＩＤを認識するようにしてもよい。また、光ディスク１７がＤＶＤの場合には、ＢＣＡ（Ｂｕｒｓｔ  Ｃｕｔｔｉｎｇ  Ａｒｅａ）などの光ディスク１７の記録・再生領域外の記録膜（表面）に書き込まれた識別コードを利用することも可能である。なお、このＢＣＡは、ＤＶＤ以外の光ディスクにおいても採用されている。
【００４９】
情報入力部１２は、テレビジョン放送などからコンテンツデータを受信し、受信したコンテンツデータをシステム制御部１１へ供給するように構成されている。また、圧縮されたコンテンツデータの伸張のためのデコード機能を内蔵することもできる。
【００５０】
情報出力部１３は、システム制御部１１から入力されたコンテンツデータを再生する機能を有している。すなわち、コンテンツデータの映像情報を液晶表示装置、ＣＲＴ（Ｃａｔｈｏｄｅ  Ｒａｙ  Ｔｕｂｅ）などの映像表示装置に出力し、また、音声情報をスピーカなどの音声出力装置に出力する。さらに、情報出力部１３は、コンテンツ選択メニューを再生することもできる。
【００５１】
ここで、上記コンテンツ選択メニューとは、光ディスク１７の内容を示す目次情報のことであり、光ディスク１７に含まれる映像情報等のタイトルをリスト表示したものや、画像の絵柄の見本を示すサムネイル画像を一覧表示したもの等から構成されている。このコンテンツ選択メニューに基づいて、ユーザはユーザ操作部１４を用いて必要なメニューを選択することができる。そして、選択された情報は、ユーザ操作部１４からシステム制御部１１へ通知されるようになっている。
【００５２】
ユーザ操作部１４は、再生キー、停止キー、サーチキー等がユーザ操作に供されるように設けられている。また、ユーザ操作部１４は、リジューム動作のオン・オフ（リジュームモードにするか否か）も選択可能に構成されている。ユーザは、このユーザ操作部１４を用いることにより、本記録再生装置に対して、リジュームにおける再生中断位置からの相対的なずれ量、再生中断位置における一時停止時間等（以上各種情報をまとめて再生開始位置情報と称す）の各種入力を行うことができるようになっている。
【００５３】
ワークメモリ１９は、本記録再生装置のリジューム機能を利用する場合に、ディスクＩＤや再生が中断された位置である再生中断位置を示す情報（中断位置情報）、上記再生中断位置からの相対的なずれ量を示す情報（再生開始位置情報）等を含み、後述のディスクＩＤ管理テーブル、その他各種情報を格納する情報記憶装置である。上記中断位置情報には、例えば、光ディスク１７の再生を中断した日時等を含めてもよい。
【００５４】
この場合、上記日時の情報により、ワークメモリ１９に記憶させたデータの順序が特定可能になる。そこで、ワークメモリ１９の空き容量が不足してきた場合に、日時順に古いものからワークメモリ１９のデータを削除する記憶内容管理手段としての機能を、システム制御部１１に持たせることもできる。
【００５５】
ワークメモリ１９は、本記録再生装置の電源オフ時にもデータを保持できるメモリにより構成されている。
【００５６】
なお、ワークメモリ１９は、少なくとも以下の２種の情報、複数の光ディスクに関するディスクＩＤとこれに対応した中断位置情報とを含むことが好ましい。また、記録媒体毎に再生開始位置を変更する必要があれば、再生開始位置情報等の情報を保存することができるように構成されるのが好ましい。さらに、ワークメモリ１９が、交換可能であれば、記憶すべき情報が肥大化した場合等でも、容量を変更して対応することもできるため好ましい。また、専用メモリによって、増設するような構成でも良い。
【００５７】
ここで、ワークメモリ１９内の情報は、システム制御部１１によって読み出し可能であり、また、システム制御部１１の指示に従って、ワークメモリ１９内の情報の更新を行うことができる。
【００５８】
本実施形態では、ワークメモリ１９として、自己保持可能な半導体メモリ（フラッシュメモリ）を用いたが、小型で取りはずし可能なハードディスク装置を用いても、本実施形態と同様の効果が得られる。ここで、自己保持とは、電源がオフの場合でも記憶されている情報を保持する機能である。
【００５９】
バッファメモリ２０は、光ディスク１７からのコンテンツデータを一時的に格納する情報記憶装置である。バッファメモリ２０におけるデータの入出力については、高速で間欠的に書き込まれ、低速で継続的に読み出される。そして、常時ある程度のデータが蓄積されるように構成されている。このため、外部振動等によりトラッキングが外れるなどの原因で、光ディスク１７からの再生が不可能になった場合でも、バッファメモリ２０に蓄積されたコンテンツデータを用いることで、中断することなく再生できる。
【００６０】
また、記録再生装置が据え置き型の装置であれば、映像、音声等のデジタルデータの伸張、圧縮、Ａ−Ｄ、及びＤ−Ａ変換などのワーキングメモリとしてもバッファメモリ２０の一部を利用可能である。
【００６１】
再生開始位置演算部１８は、上記ワークメモリ１９に記録される中断位置情報および再生開始位置情報に基づいて、前回再生時の再生中断位置から再生開始位置を演算によって求めるように構成されている。再生中断位置からの再生開始位置の相対的ずれ量は、ユーザが、ユーザ操作部１４を介して入力することが可能である。あるいは、ユーザによって再生中断位置からのずれ量だけでなく、開始時間（再生開始位置の情報を出力している状態で一時停止（静止）し、再生を再開するまでの静止時間）を設定出来るように構成しても良い。また、この演算機能は、システム制御部１１に含まれても問題ない。ただし、本発明の記憶手段は、必ずしもワークメモリ１９だけで構成される必要はなく、上記演算のために専用メモリを設けても良い。
【００６２】
システム制御部１１は、ユーザが、ユーザ操作部１４を用いてシステム制御部１１に出した指示によって、ワークメモリ１９に記憶されている中断位置情報を、表示手段として機能する情報出力部１３で表示させるように構成することもできる。
【００６３】
こうした場合、ユーザが、入力手段であるユーザ操作部１４を通じて、再生中断位置に対して、再生開始位置を時間でどれだけずらすのか、指定できるように構成することが可能である。この時間（ずれ量）指定によって、再生開始位置演算部１８は、中断位置情報を基に再生開始位置を求め、実行すれば良い。又、再生中断位置からの時間ずれ（ずれ量）をゼロとする事も出来るし、再生中断位置における静止時間を指定する事も可能である。
【００６４】
なお、ワークメモリ１９は、ディスクＩＤに対応づけて、中断位置情報を記憶しているので、ユーザは、ディスク毎に再生開始位置を変更することも容易である。
【００６５】
システム制御部１１はまた、光ディスク１７の再生中断時には、ワークメモリ１９にディスクＩＤ認識部１６で認識した記録媒体情報（識別情報）と中断位置情報とを対応づけて記憶させ、再生開始命令を受けた場合、再生中断位置から指定（設定）された時間だけ、再生開始位置をずらして再生を行う。再生開始位置は、上記の通り、再生開始位置演算部１８の演算結果を用いる。
【００６６】
また、システム制御部１１は、光ディスク１７の再生を開始するときには、ディスクＩＤ認識部１６で認識したディスクＩＤに対応した中断位置情報に基づいて、本記録再生装置による再生を制御する再生開始制御手段として機能する。
【００６７】
さらに、システム制御部１１は、ユーザがユーザ操作部１４を介して入力した操作に基づいて、図１に示した各ブロックの動作、及び各ブロック間のデータの入出力を制御する。
【００６８】
なお、本記録再生装置では、再生開始位置演算部１８を設けることによって、再生中断位置に対して、再生開始位置をずらすことが可能なように構成され、また再生中断位置で一定時間静止させることも可能に構成してある。
【００６９】
表示部２１は、例えば、小型の液晶ディスプレイなどによって構成されており、本記録再生装置の動作状態、再生中のトラックナンバ、記録・再生進行時間、トラックモード情報等の文字情報などを表示する機能を有している。また、表示部２１においては、再生開始したときのディスクＩＤ及び中断位置情報が光ディスクごとに表示される。
【００７０】
以下に、本実施形態におけるリジューム動作について、図２及び図３を用いて説明する。
【００７１】
図２は、本記録再生装置の再生中断時におけるリジューム動作のフローチャートの一例である。
【００７２】
このフローチャートは、本記録再生装置が光ディスク１７を再生中（Ｓ２１）に、ユーザがユーザ操作部１４に含まれる停止キーを操作し（Ｓ２２）、再生を中断するときの流れを示している。なお、ユーザは、ユーザ操作部１４を用いてリジューム動作のオン・オフを設定できる。そして、この設定に基づき、システム制御部１１は、リジュームモードに設定されているか否かを判断する（Ｓ２３）。
【００７３】
リジュームモードに設定されていない場合、システム制御部１１は、ディスク記録・再生部１５を制御し再生を停止する（Ｓ３１）。
【００７４】
一方、Ｓ２３においてリジュームモードに設定されている場合、システム制御部１１は、光ディスク１７挿入時にディスクＩＤ認識部１６がディスクＩＤを認識できたかどうかを確認する（Ｓ２４）。そして、認識できている場合には、Ｓ２６に進む。
【００７５】
しかし、ディスクＩＤを持たない光ディスクが存在するため、光ディスク挿入時にディスクＩＤ認識部１６がディスクＩＤを認識できない場合がある。これに対応するため、ディスクＩＤ認識部１６がディスクＩＤを認識できない場合には、システム制御部１１は、この光ディスクに対する識別情報としてデフォルトＩＤを発行する（Ｓ２５）。
【００７６】
Ｓ２４においてディスクＩＤが認識される、あるいは、Ｓ２５においてデフォルトＩＤが発行されると、システム制御部１１は、ディスクＩＤ（Ｓ２５でデフォルトＩＤが作成された場合には、デフォルトＩＤ。以下同様。）に対応させてワークメモリ１９に記憶されている中断位置情報から再生中断位置を認識する（Ｓ２６）。
【００７７】
次に、システム制御部１１は、光ディスク１７のディスクＩＤと、中断位置情報をワークメモリ１９に記憶させる（Ｓ３０）。なお、ワークメモリ１９に記憶させる情報には、記録日時、記録順等を含めてもよい。
【００７８】
また、ユーザが、ディスクＩＤに対応する独自ＩＤ（独自のディスク名称）を作成し、ワークメモリ１９に記憶できるようにしてもよい。この場合、ユーザが、ユーザ操作部１４を介して独自ＩＤを入力できるように設定すればよい。なお、ユーザによって設定される独自ＩＤは、ユーザによる光ディスクの識別を容易にするための表示用とし、ディスクＩＤ認識部１６における光ディスクの識別にはディスクＩＤを用いることが好ましい。
【００７９】
以上によって、次回の再生でのリジューム動作に必要なデータの記憶が終了すると、通常の停止動作を行い（Ｓ３１）、リジューム動作を終了する。
【００８０】
なお、Ｓ２５で発行したデフォルトＩＤとは、ディスクＩＤ認識部が、ディスクＩＤを認識できない場合に、その光ディスクに対して設定するＩＤである。本記録再生装置においては、ディスクＩＤ認識部１６が、ディスクＩＤを認識できない場合（ディスクＩＤがないと認識した場合、でもよい）に、デフォルトＩＤを発行し、このデフォルトＩＤと対応づけて中断位置情報を記憶するようになっている。
【００８１】
このため、ディスクＩＤを持たない光ディスクについてもリジューム動作を行うことができる。なお、本発明では、ディスク交換が行われた場合にもリジューム可能なように構成するため、ディスクＩＤを用いたが、ディスク交換が行われた場合にはリジュームを行わない設定とすれば、ディスクＩＤの認識、デフォルトＩＤ発行を行うディスクＩＤ認識部１６は必要ない。
【００８２】
このデフォルトＩＤについては、ユーザによって、独自のデフォルトＩＤ（別名称）を作成し、ワークメモリ１９に記憶できるようにしてもよい。この入力方法等は、上記のワークメモリ１９が記憶したディスクＩＤに対し、ユーザが独自ＩＤを作成する場合に準じる。
【００８３】
この独自のデフォルトＩＤは、ユーザが操作する対象のディスクを確認するための表示に使用するものである。したがって、ディスクＩＤが認識されないディスクの再生時のリジューム動作は、システム制御部１１が設定し、ワークメモリ１９に記憶したデフォルトＩＤを用いて行う。
【００８４】
次に、本記録再生装置の再生時におけるリジューム動作を説明する。図３は、本記録再生装置の再生時におけるリジューム動作のフローチャートの一例である。
【００８５】
本記録再生装置は、ユーザ操作部１４に含まれる再生キーが操作されることによって電源オンとされるものとする。なお、光ディスク１７が挿入されることにより電源オンされてもよい。
【００８６】
再生キーが操作されると（Ｓ１）、システム制御部１１は、まず、システムの電源をオンにする（Ｓ２）。
【００８７】
次に、本記録再生装置がリジュームモードに設定されているか否かをシステム制御部１１が判別する（Ｓ３）。そして、リジュームモードに設定されていなければ、通常再生ルーチン（Ｓ１６〜Ｓ１９）に進む。
【００８８】
一方、Ｓ３においてリジュームモードに設定されている場合、電源オフの間などに光ディスク１７の入れ換えが行なわれたか否かをシステム制御部１１が判別する（Ｓ４）。この判別は、例えば、光ディスク１７の挿入口に設けられた蓋の開閉動作などの検出に基づいて行えばよい。
【００８９】
光ディスク１７の入れ換え（交換）がなければ、システム制御部１１は、ディスクＩＤ認識部１６に、光ディスク１７からディスクＩＤを読み取って認識させる（Ｓ５）。なお、この時点で挿入されている光ディスク１７がディスクＩＤを有さないものなどであり、Ｓ５においてディスクＩＤを認識できない場合には、デフォルトＩＤを作成し、ディスクＩＤとして認識するものとする。
【００９０】
光ディスク１７が交換されていた場合も、ディスクＩＤ認識部１６はディスクＩＤの読み込みを行い、ディスクＩＤを認識できたか否かを判別する（Ｓ６）。このとき、ディスクＩＤが認識できなければ、通常再生ルーチン（Ｓ１６〜Ｓ１９）に移行する。光ディスク１７が交換されていた場合、前回又はそれ以前の再生中断時に挿入されていたディスクＩＤの認識ができない光ディスクと、現時点で挿入されているディスクＩＤの認識ができない光ディスクとが一致するとは限らないからである。
【００９１】
なお、ディスクＩＤ認識部１６は、光ディスク１７のディスクＩＤを認識し、その情報はシステム制御部１１が読みこむ。
【００９２】
次に、システム制御部１１は、ディスクＩＤ認識部１６から読み取ったディスクＩＤ（Ｓ５でデフォルトＩＤを認識した場合にはデフォルトＩＤ。以下、同様。）を基に、ワークメモリ１９内を検索し、上記ディスクＩＤ認識部１６で認識されたディスクＩＤが記憶されているか否かを判別する（Ｓ７）。ここで、ディスクＩＤが、ワークメモリ１９に記憶されていない場合には、通常再生ルーチン（Ｓ１６〜Ｓ１９）に移行する。なお、通常ルーチンの動作については後で詳しく説明する。
【００９３】
一方、ワークメモリ１９にディスクＩＤが記憶されている場合、システム制御部１１は、そのディスクＩＤに対応する中断位置情報をワークメモリ１９から読み出す（Ｓ８）。
【００９４】
次に、光ディスク装置の初期処理を開始する（Ｓ９）。ここで、光ディスク装置の初期処理とは、システム制御部１１が、ディスク記録・再生部１５を制御して、レーザパワーの調整、ディスクチルトの調整、収差補正等の光学ヘッドの各種調整を行って記録・再生可能な状態とした上で、光ディスク１７からのＴＯＣ（Ｔａｂｌｅ  Ｏｆ  Ｃｏｎｔｅｎｔｓ）情報を読み出し、それに応じた各種パラメータのセットを行う処理である。
【００９５】
次に、システム制御部１１は、中断位置情報が示す再生中断位置から、予め設定された時間ずれ量に基づいて再生開始位置を再生開始位置演算部１８に計算（演算）させる。そして、この演算結果を基に、光ディスク１７のデータ再生を行うように、ディスク記録・再生部１５に対し再生開始を指示する（Ｓ１０）。上記時間ずれ量は、ユーザによって予め設定される。例えば、映画等の動画であれば、３分、短くて１分あれば十分である。
【００９６】
初期処理の終了後（Ｓ１１）に、システム制御部１１は、上記初期処理によって読み込まれた光ディスク１７のＴＯＣ情報と中断位置情報とに基づいて、ディスク記録・再生部１５の光学ヘッド（図示せず）を制御し、光ディスク１７から読み出したコンテンツデータをバッファメモリ２０に書き込み、上記演算結果に基づく再生開始位置（再生開始指定位置）から再生処理を開始する（Ｓ１２）。
【００９７】
その後は、システム制御部１１が、ディスク記録・再生部１５を介して光ディスク１７から高速レートでコンテンツデータの読み出しを行ってバッファメモリ２０に蓄えていく。そして、バッファメモリ２０から低速レートで連続的にコンテンツデータを読み出し、再生データとして情報出力部１３へ出力していく（Ｓ１３）。
【００９８】
その後、上記再生中に再生中断位置まで再生が進む。静止（たとえば、動画コンテンツの場合、静止画像表示）するように設定されていれば、この再生中断位置において、再生を一時中断する（Ｓ１４）。
【００９９】
この再生中断は、上述の通り、行っても、行わなくて良いが、再生中断を行った場合、再生命令により、再生が開始される。これ以降は、通常再生処理を行い（Ｓ１５）、リジューム動作を終了する。なお、上記の再生命令は、ユーザが行う再生操作（再生キー操作）でもよく、あるいはタイマ等の計時手段を使用し、設定された計時時間の計時後（一定時間経過後）に再生を再開するようにしてもよい。
【０１００】
上述のように、再生開始位置を再生中断位置からずらすことによって、停止直前の再生状況の把握が可能となり、再生されるコンテンツ、特に動画の場合、内容理解が容易になる。又、再生中断位置付近で一旦静止することによって、ユーザは、直前（あるいは前回）まで見ていた状況を、理解しやすくなる。
【０１０１】
特に、動画を扱う場合、再生中断位置から再生されると初めてみる場面なので、ユーザは、直前までの内容を思い出すのに時間が必要である。しかし、この再生中断位置よりも前（過去）から再生開始することによって、内容を十分理解、又は思い出すことが可能となる。
【０１０２】
又、音楽の場合であれば、曲の途中で中断した場合、時間で指定するのではなく、例えば、曲の始め（再生中断位置より前）から再生するように設定することも可能である。
【０１０３】
また、光ディスク１７にディスクＩＤが付与されていない場合、その光ディスク１７が一旦イジェクトされると、その光ディスク１７と中断位置情報との対応関係を保証できなくなるが、光ディスク１７が交換されなければ、同様のリジュームは可能である。
【０１０４】
これは、例えば、上記のようなデフォルトＩＤを発行しておくことにより可能になる。デフォルトＩＤは、例えば、ディスクＩＤが付与されていない光ディスク１７に対して発行し、これに対応付けられた中断位置情報として、中断位置情報をワークメモリ１９に保存するように構成すればよい。このデフォルトＩＤは、たとえば、ディスクＩＤの不明な光ディスク１７すべてに共通のＩＤとしておけばよい。これによって、すべての中断位置情報は、ディスクＩＤと関連付けられて保存されることになる。
【０１０５】
ここで、上記のＳ３においてリジュームモードでない場合、上記のＳ６においてディスクＩＤを認識できなかった場合、及び上記のＳ７において認識したディスクＩＤがワークメモリ内に記憶されていなかった場合に行われる、通常再生ルーチン（Ｓ１６〜Ｓ１９）について説明する。
【０１０６】
システム制御部１１は、ディスク記録・再生部１５に対し初期処理の開始を指示する（Ｓ１６）。そして、初期処理が完了し、記録・再生可能な状態となったところで（Ｓ１７）、システム制御部１１は、ディスク記録・再生部１５を介し、光ディスク１７からコンテンツデータを読み出し、高速レートでバッファメモリ２０へ書き込む処理を開始する（Ｓ１８）。
【０１０７】
そして、コンテンツデータがバッファメモリ２０にある程度書き込まれたら、そのコンテンツデータをバッファメモリ２０から低速レートで再生する処理を開始し（Ｓ１９）、これにより、バッファメモリ２０から低速レートで連続的にデータを読み出し、再生データとして出力し、通常の再生処理（Ｓ１５）に移行する。
【０１０８】
次に、再生開始位置のずれ量の設定について、図４を用いて説明する。
【０１０９】
図４は、本記録再生装置で再生されるコンテンツデータに含まれる情報の構成例を示している。図４において、コンテンツデータは、一連の連続したシーンＶ１，Ｖ２，・・・，Ｖｎ（ｎは整数）から構成されており、各シーンは映像情報と音声情報とから構成されている。
【０１１０】
ここで、各シーンには、再生するタイミングを示す一連のタイムコードＴ１，Ｔ２，・・・，Ｔｎおよび、各シーンを格納している記録媒体上のアドレスを示す一連の格納先アドレスＡ１，Ａ２，・・・，Ａｎが与えられている。なお、上記中断位置情報としては、このタイムコードを用いることができる。
【０１１１】
本記録再生装置では、上記一連のタイムコードの順番に従って各シーンを再生することで、映像情報と音声情報とを連続して再生することができる。また、任意のタイムコードを指定することによって、そのタイムコードに対応するシーンの格納先アドレスからコンテンツデータを読み込み、再生することもできる。
【０１１２】
続いて、本記録再生装置で利用するリジュームにおける再生方法について図５を用いて示す。
【０１１３】
図５は、光ディスク１７内に記録されているコンテンツデータの構成例を示している。光ディスク１７内のコンテンツデータは、図５に示すように、一連の連続したシーンＶ１，Ｖ２，・・，Ｖ９，・・・から構成されており、各シーンには、一連のタイムコードＴ１，Ｔ２，・・，Ｔ９，・・・及び、一連の格納先アドレスＤＡ１，ＤＡ２，・・，ＤＡ９，・・・が与えられている。
【０１１４】
図５に示すように、再生中断位置をＤＡ５とする。リジューム命令によって、再生開始する再生開始位置は、時間指定されているので、再生中断位置のタイムコード（Ｔ５）から、指定された時間（ずれ時間）だけ辿る（Ｔ２）。そして、そこに該当するアドレスＤＡ２を再生開始位置のタイムコードとして算出する。なお、この演算処理は再生開始位置演算部１８で行われる。
【０１１５】
また、本発明では、ＤＡ２から再生を開始し、再生中断位置ＤＡ５に達した時点で一旦停止させるように制御することもできる。そして、この一旦停止状態から再生状態への移行は、再生ボタンにより、ユーザが指示しても良いし、タイマで一定時間計時後に再生開始するように構成しても良い。当然のことながら、再生中断位置で一旦停止を行わないようにも構成できる。
【０１１６】
次に、ワークメモリ１９上に格納されているディスクＩＤ管理テーブルについて図６を用いて説明する。
【０１１７】
図６は、ワークメモリ１９に格納される、ディスクＩＤ及び中断位置情報を管理するディスクＩＤ管理テーブルの構成例を示している。ディスクＩＤ管理テーブルは、ｎ個（ｎは整数）のディスクＩＤ情報の集合を含んで構成されている。そして、ディスクＩＤ情報は各々の光ディスクを一意に判別可能な上記ディスクＩＤを表す情報である。また、ディスクＩＤ情報には、上記中断位置情報が対応づけられている。
【０１１８】
このディスクＩＤ管理テーブルをシステム制御部１１が参照することにより、光ディスク１７を一旦イジェクトして再度挿入（ローディング）した場合にも、リジューム再生を実現させることが可能になる。また、リジューム時の再生開始位置についても、各媒体によって異なるように指定することも出来るので、ディスクＩＤ管理テーブルに、この情報（再生開始位置情報）を関連付けて持たせても良い。
【０１１９】
なお、本実施形態で説明したシステム制御部１１の各手段としての機能、およびシステム制御部１１によって実行される制御方法は、コンピュータに再生装置制御プログラム（再生プログラム）を実行させることによっても実現することができる。
【０１２０】
この場合、記録媒体から読み出されたプログラムコード自体が上記機能や方法を実現することになり、そのプログラムコードを記録した記録媒体は本発明を構成することになる。
【０１２１】
上記プログラムコードを供給するための記録媒体は、装置と分離可能に構成することができる。また、上記記録媒体は、プログラムコードを供給可能であるように固定的に担持する媒体であってもよい。さらに、上記記録媒体は、記録したプログラムコードをコンピュータが直接読み取ることができるように装置に装着されるものであっても、外部記憶装置としてシステムあるいは装置に接続されたプログラム読み取り装置を介して読み取ることができるように装着されるものであってもよい。
【０１２２】
以上のように、本記録再生装置は、交換可能な光ディスク１７の情報を再生する記録・再生装置であって、光ディスク１７の情報を再生するディスク記録・再生部１５と、光ディスク１７を識別するためのディスクＩＤを認識するディスクＩＤ認識部１６と、ディスクＩＤを含む各種情報を記憶するワークメモリ１９と、再生開始位置を計算する再生開始位置演算部１８と、システム制御部１１とを備えている。
【０１２３】
そして、システム制御部１１は、光ディスク１７の再生を中断するときに、ディスクＩＤ認識部１６で認識した光ディスク１７のディスクＩＤと、光ディスク１７の次回の再生を前回の再生中断位置に基づいて決定（演算）するために光ディスク１７上の位置を特定可能な再生中断位置とを対応づけたディスクＩＤ管理テーブルを、ワークメモリ１９に記憶させる。
【０１２４】
また、システム制御部１１は、光ディスク１７の再生を開始するときに、ワークメモリ１９に記憶されている、ディスクＩＤ認識部１６で認識した光ディスク１７のディスクＩＤに対応する中断位置情報に基づいて、ディスク記録・再生部１５による再生開始位置を制御する。
【０１２５】
再生開始位置については、再生開始位置演算部１８によって、指定された再生中断位置からのずれ量を基に計算（演算）される。そして、その演算結果がシステム制御部１１に再生開始位置が送られ、再生が開始される。
【０１２６】
これにより、本発明の再生装置では、ディスクＩＤを持つ光ディスクであれば、その光ディスクを一度再生しておけば、再生装置から取り出さずに再生を再開する場合に限らず、再生装置から一旦取り出し、他の光ディスクを再生しないで、あるいは他の単数又は複数の光ディスクを再生した後、その光ディスク（もとの光ディスク）を挿入して再生を再開する場合においても、ワークメモリ１９に記憶していたその光ディスク（もとの光ディスク）に対応する中断位置情報に基づき、再生中断位置から指定された時間だけずれた位置を再生開始位置とする事が可能となる。さらに、上記再生開始位置から再生を開始し、再生中断位置で一旦静止させることにより、視聴者（ユーザ）に前回の再生中断位置を知らせると同時に、ユーザがコンテンツ内容を把握することが可能となる。
【０１２７】
さらに、再生中断位置での一旦静止（静止画像表示）を行うように構成すると、ユーザが前回の再生中断位置を把握することが容易である。また、一旦静止の解除は、タイマ設定、又はユーザによる再生命令で再生開始できるように構成している。したがって、ユーザは、必要に応じて静止時間を設定することができ、また随時、再生を再開することができる。
【０１２８】
また、本実施の形態では、光ディスク１７（ディスク状記録媒体）を情報記録媒体として用いた記録再生装置の場合について述べたが、本発明は、このような交換可能なディスク状記録媒体に限定されるものではない。例えば、半導体メモリ（メモリスティック、ＳＤ、コンパクトフラッシュ（登録商標）など）や、ハードディスク等を情報記録媒体として用いるものであってもよい。このような情報記録媒体においても、上記ディスクＩＤに相当する媒体識別情報（識別情報）を保有（記憶）させることが可能であり、上記ディスクＩＤと同様の効果を発揮するように構成できる。
【０１２９】
本実施の形態において、ユーザに指定される再生中断位置に対する再生開始指定位置のずれ量は、時間を基準（単位）としている。しかしながら、上記のずれ量の指定方法は、時間を基準とする方法に限られるものではない。例えば、曲頭指定（チャプター単位、楽曲単位、一定時間無音部等）によってなされるものでもよい。
【０１３０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。
【０１３１】
【発明の効果】
本発明の再生装置は、以上のように、情報記録媒体を識別する識別情報を認識する認識手段と、認識された識別情報を記憶する記憶手段と、上記情報記録媒体の再生を中断するときに、該情報記録媒体上の再生中断位置を特定する中断位置情報を上記識別情報に対応づけて上記記憶手段に記憶する再生中断制御手段と、上記情報記録媒体の再生を再開するときに、中断位置情報に基づいて、上記再生中断位置よりも前の位置を再生開始位置とし、再生開始を行う再生開始位置制御手段とを備えている。
【０１３２】
上記の発明によれば、ローディングされた情報記録媒体の固有情報を認識手段によって取得し、情報記録媒体が認識（識別）・特定される。認識手段によって認識された識別情報は記憶手段に記憶される。
【０１３３】
上記情報記録媒体の再生を中断するときに、再生中断制御手段によって、再生を中断した当該情報記録媒体上の位置を特定する中断位置情報が上記識別情報に対応づけられて記憶手段に記憶される。その後、再生動作が中断される。
【０１３４】
例えば、動画コンテンツの再生中断後、上記情報記録媒体の再生を再開するときに、再生開始位置制御手段によって、上記の中断位置情報に基づいて、上記再生中断位置よりも前の位置を再生開始位置とされた後、再生の開始が行われる。なお、再生中断位置よりも前の位置とは、再生中断までに再生済の位置（時間軸において再生中断位置よりも時間的に前の位置）、又は再生中断までに再生済の位置であって再生中断位置から物理的に一定距離だけ離れた位置を意味する。
【０１３５】
これにより、ある情報記録媒体を再生装置から取り出すことなく再生を再開する場合に限らず、第１の情報記録媒体を再生装置から取り出し、第２の情報記録媒体を再生することなく、再び第１の情報記録媒体を再生装置に挿入して再開する場合や、第１の情報記録媒体を再生装置から一旦取り出した後、第２の情報記録媒体をローディングし、或いはローディングして再生した後、第２の情報記録媒体を再生装置から取り出し、それから、上記第１の情報記録媒体を再度ローディングして再生するような場合でも、第１の情報記録媒体に係る中断位置情報に基づいて、再生中断位置よりも前の位置から再生の開始が行われる。
【０１３６】
したがって、再生中断前に再生していた内容を思い出し、該内容を十分に理解した上で、再生中断以降の再生を再開することが可能となる。また、上記の発明によれば、再生中の情報記録媒体と、再生中断位置とが対応づけられているので、複数の情報記録媒体に対して、それぞれの再生中断位置に係る中断位置情報を記憶手段に格納できる。したがって、様々な再生中断状態にある複数の情報記録媒体に対しても、各内容を思い出しながら、再生を再開させることが可能となり、従来のように、一旦停止、及び巻き戻し等の煩雑な操作が不要となるという効果を併せて奏する。
【０１３７】
上記再生装置において、上記静止画像の表示状態の経過時間を計時すると共に計時時間の設定が行える計時手段を更に備え、設定された計時時間経過後に、上記再生開始を行うか、又は上記静止画像の表示状態において再生命令を受領すると上記再生開始を行うことが好ましい。
【０１３８】
この場合、既に視聴した位置から前回の再生中断位置まで再生されるので、再生コンテンツの内容をユーザが理解することが一層容易になる。また、前回の再生中断位置で一旦静止画像表示となるので、再生中断位置の認識を確実に行え、ユーザは非常に効果的に内容理解が行えるという効果を併せて奏する。
【０１３９】
上記再生装置において、上記静止画像の表示以降の時間を計時すると共に計時時間の設定が行える計時手段を更に備え、設定された計時時間経過後に、上記再生開始を行うか、又は上記静止画像の表示以降に再生命令を受領すると上記再生開始を行うことが好ましい。
【０１４０】
計時手段を備えた構成の場合、予め計時時間を設定しておくことによって、該計時時間の計時後に自動的に再生開始処理が行われるので、ユーザの操作を確実に減少させることが可能となる。一方、再生命令を受領後に再生開始を行う場合、ユーザのペースで随時再生開始が行えるという効果を併せて奏する。
【０１４１】
上記再生装置は、上記記憶手段に記憶された上記識別情報及び上記中断位置情報をそれぞれ表示する表示手段と、上記再生開始位置を設定するための入力手段とを更に備え、上記再生開始位置制御手段は、入力手段を介して設定された上記再生開始位置から再生開始を行うことが好ましい。
【０１４２】
この場合、再生開始したときの識別情報及び中断位置情報が情報記録媒体ごとに表示手段によって表示される。表示手段によって表示された上記情報を確認の上、入力手段を介して再生開始位置を設定することが可能となるという効果を併せて奏する。
【０１４３】
たとえば、動画コンテンツの場合、内容に応じて適当な位置を再生開始位置として設定することが可能となる。また、ＣＤ等の音楽コンテンツの場合、曲の開始位置または終了位置から再生開始を行うことが可能となる。更に、再生開始位置を再生中断位置に設定することも可能である。このように、ユーザにとって快適な再生環境を実現することが可能となる。
【０１４４】
本発明の再生方法は、上記の課題を解決するために、情報記録媒体の再生を中断するときに、該情報記録媒体上の再生中断位置を特定する中断位置情報を上記情報記録媒体を識別する識別情報に対応づけて記憶し、上記情報記録媒体の再生を再開するときに、該情報記録媒体の識別情報を認識し、上記の中断位置情報に基づいて、上記再生中断位置よりも前の位置を再生開始位置として再生開始を行う。
【０１４５】
上記の再生方法によれば、情報記録媒体の再生を中断するときに、該情報記録媒体上の再生中断位置を特定する中断位置情報が上記情報記録媒体を識別する識別情報に対応づけて記憶される。その後、再生動作が中断される。
【０１４６】
再生中断後、上記情報記録媒体の再生を再開するときに、該情報記録媒体の識別情報が認識され、上記の中断位置情報に基づいて、上記再生中断位置よりも前の位置を再生開始位置として再生開始が行われる。
【０１４７】
これにより、ある情報記録媒体を再生装置から取り出すことなく再生を再開する場合に限らず、第１の情報記録媒体を再生装置から一旦取り出した後、第２の情報記録媒体をローディングし、或いはローディングして再生し、更にその後、上記第１の情報記録媒体を再度ローディングして再生する場合でも、第１の情報記録媒体に係る中断位置情報に基づいて、再生中断位置よりも前の位置から再生の開始が行われる。
【０１４８】
したがって、再生中断前に再生していた内容を思い出し、該内容を十分に理解した上で、再生中断以降の再生を再開することが可能となる。また、上記の発明によれば、再生中の情報記録媒体と、再生中断位置とが対応づけられるので、複数の情報記録媒体に対して、それぞれの再生中断位置に係る中断位置情報を記憶手段に格納できる。したがって、様々な再生中断状態にある複数の情報記録媒体に対しても、内容を思い出しながら、再生を再開させることが可能となり、従来のように、一旦停止及び巻き戻し等の煩雑な操作が不要となるという効果を併せて奏する。
【０１４９】
上記再生方法において、表示された、記憶済の上記識別情報及び上記中断位置情報を参照して上記再生開始位置を設定し、このように設定された上記再生開始位置から再生開始が行われることが好ましい。
【０１５０】
この場合、再生開始したときの識別情報及び中断位置情報が情報記録媒体ごとに表示手段によって表示される。表示手段によって表示された上記情報を確認の上、入力手段を介して再生開始位置を設定することが可能となる。
【０１５１】
たとえば、動画コンテンツの場合、内容に応じて適当な位置を再生開始位置として設定することが可能となる。また、ＣＤ等の音楽コンテンツの場合、曲の開始位置または終了位置から再生開始を行うことが可能となる。更に、再生開始位置を再生中断位置に設定することも可能である。このように、ユーザにとって快適な再生環境を実現することが可能となるという効果を併せて奏する。
【０１５２】
再生プログラムを介して上記記載の再生方法の各ステップをコンピュータに実行させてもよい。このような再生プログラムは、コンピュータ読み取り可能な記録媒体に記録されていることが好ましい。
【０１５３】
これにより、上記再生プログラムを再生装置に備えられた任意のコンピュータによって読み取り可能な記録媒体に記録させておくことができ、上記再生プログラムの保存・流通を容易に行うことができる。そして、この記録媒体を再生装置に備えられたコンピュータに読み取らせることにより、そのコンピュータを上記再生中断制御手段、上記再生開始位置制御手段として機能させることができる。また、そのコンピュータに上記再生方法における各工程の処理を実行させることができるという効果を併せて奏する。
【図面の簡単な説明】
【図１】本発明の実施の一形態にかかる記録再生装置の構成を示すブロック図である。
【図２】図１の記録再生装置の再生中断時におけるリジューム動作を示すフローチャートである。
【図３】図１の記録再生装置の再生時におけるリジューム動作を示すフローチャートである。
【図４】図１の記録再生装置で再生されるコンテンツデータに含まれる情報の構成を説明する説明図である。
【図５】図１の記録再生装置で再生される光ディスク内に記録されているコンテンツデータの構成と本発明の再生方法を説明する説明図である。
【図６】図１の記録再生装置におけるワークメモリに格納される、ディスクＩＤ、中断位置情報、及び再生位置情報を管理するディスクＩＤ管理テーブルの構成を説明する説明図である。
【符号の説明】
１１  システム制御部（再生中断制御手段、再生開始制御手段）
１２  情報入力部
１３  情報出力部
１４  ユーザ操作部（入力手段）
１５  ディスク記録・再生部（再生手段）
１６  ディスクＩＤ認識部（認識手段）
１７  光ディスク（情報記録媒体）
１８  再生開始位置演算部
１９  ワークメモリ（記憶手段）
２０  バッファメモリ
２１  表示部（表示手段）
【図１】
2004355681.tif 000003
【図２】
2004355681.tif 000004
【図３】
2004355681.tif 000005
【図４】
2004355681.tif 000006
【図５】
2004355681.tif 000007
【図６】
2004355681.tif 000008